(57)【特許請求の範囲】
【請求項１】
水中ポンプと電気的に接続する端子を含む複数の端子を備えた端子台と、前記端子台を介して接続された前記水中ポンプへの通電状態を切り替えるスイッチ回路と、前記スイッチ回路を制御する電子回路と、それらを収容するユニット筺体とを備えて構成され、
前記ユニット筺体は、通風機構を備えた既設の制御盤筺体に備えた支持板から既設の回路部品を除去した後に、前記支持板との間に間隙を形成するように前記ユニット筺体を取り付ける取付部を備えるとともに、下部と上縁部にそれぞれ開口が形成されている水中ポンプの制御ユニット。
【請求項２】
前記ユニット筺体は、天板が正面から背面にかけて下方に傾斜する傾斜姿勢に形成され、前記天板の側端部と側板との間に前記上縁部の開口が形成されている請求項１記載の水中ポンプの制御ユニット。
【請求項３】
前記ユニット筺体に、正面に操作部を備えた扉体が取り付けられ、前記扉体の背面側に前記電子回路を収容する収容部が形成され、前記収容部を区画する壁面の上縁側に開口が形成されるとともに、前記壁面の下部に開口が形成されている請求項１または２記載の水中ポンプの制御ユニット。
【請求項４】
前記通風機構によって形成される前記制御盤筺体内部の風路と、前記ユニット筺体の下部と上縁部に形成された開口を結ぶ風路が重複するように、前記ユニット筺体の開口位置が設定されている請求項１から３の何れかに記載の水中ポンプの制御ユニット。
【請求項５】
通風機構を備えた既設の制御盤筺体に備えた支持板から既設の部品を除去して形成される空間に、請求項１から４の何れかに記載された水中ポンプの制御ユニットが、前記通風機構によって形成される前記制御盤筺体内部の風路と、前記ユニット筺体の下部と上縁部に形成された開口を結ぶ風路が重複する位置に収容されている水中ポンプの制御盤。
【請求項６】
通風機構を備えた制御盤筺体に備えた支持板に、請求項１から４の何れかに記載された水中ポンプの制御ユニットが、前記通風機構によって形成される前記制御盤筺体内部の風路と、前記ユニット筺体の下部と上縁部に形成された開口を結ぶ風路が重複する位置に収容されている水中ポンプの制御盤。
【発明の詳細な説明】
【技術分野】
【０００１】
本発明は、水中ポンプの制御ユニット、及び水中ポンプの制御盤に関する。
【背景技術】
【０００２】
図６（ａ），（ｂ）には、水中ポンプの制御盤１の一例が示されている。制御盤１は、例えば、上流の汚水管から流入した汚水を下流の汚水管に搬送する複数台の水中ポンプが収容されたマンホールの近傍に設置されている。
【０００３】
制御盤１は、マンホールに設置された水位計の出力に基づいて水中ポンプを駆動するリレー回路やシーケンサ回路等を備えた制御回路１３と、リレー回路を介して電源ラインと水中ポンプを接続する端子や水位計の出力ラインと制御回路を接続する端子を含む複数の端子が配列された端子台１４と、それらを収容する制御盤筺体１０を備えている。
【０００４】
現状、このような制御盤を構成する部品に故障が発生すると、故障した部品単位に交換することにより復旧させているが、制御回路による制御方法そのものを変更する必要がある場合等、大規模な改修が必要になると、個別の部品を交換して、新たな制御方法に対応した配線を行なう必要があり、非常に煩雑な作業が要求されるという問題があった。
【０００５】
そのため、制御盤自体を新規に製造して既存の制御盤と交換すると、作業性は改善されるが、交換作業が大掛かりになるばかりでなく、制御盤の設備費が嵩むという問題があった。
【０００６】
そこで、特許文献１には、高圧盤などのリニューアルにあたり、信頼性を確保しつつ、作業時の停電時間を短縮することが可能な筺体内ユニットを実現すべく、既設の負荷、電源及び制御信号線に接続される新規盤内機器と、新規盤内機器を収納する機器収納架台とを備え、既設の筺体内に搬入される筺体内ユニットが提案されている。
【先行技術文献】
【特許文献】
【０００７】
【特許文献１】実用新案登録第３１６６２１３号公報
【発明の開示】
【発明が解決しようとする課題】
【０００８】
しかし、上述の文献に記載された高圧盤や引込盤は専ら屋内設備であり、そのような構成を屋外設備である水中ポンプの制御盤に直ちに適用するのは様々な困難を伴うという問題があった。
【０００９】
つまり、晴天時の日中は高温環境に晒され、雨天時は高湿環境に晒されるため、単に既設の筺体内に新規盤内機器を収容しても環境による悪影響を回避することが困難になり、また、既設の筺体自体が腐食等によって経年劣化している場合には、既設の筺体内に設置されている旧部品を除去する際に筺体の一部が破損する虞もあり、そのような場合には破損部位から雨水が浸入して短絡事故等が発生する虞があるという問題もあった。
【００１０】
本発明は、上述した従来の問題点に鑑みてなされたものであり、温湿度環境の影響が大きな屋外に設置される場合であっても、既存の制御盤設備を有効利用して更新設備に要するコストを低減することができる水中ポンプの制御ユニット、及び水中ポンプの制御盤を提供することを目的とする。
【課題を解決するための手段】
【００１１】
上述の目的を達成するため、本発明による水中ポンプの制御ユニットの第一の特徴構成は、特許請求の範囲の書類の請求項１に記載した通り、水中ポンプと電気的に接続する端子を含む複数の端子を備えた端子台と、前記端子台を介して接続された前記水中ポンプへの通電状態を切り替えるスイッチ回路と、前記スイッチ回路を制御する電子回路と、それらを収容するユニット筺体とを備えて構成され、前記ユニット筺体は、通風機構を備えた既設の制御盤筺体に備えた支持板から既設の回路部品を除去した後に、前記支持板との間に間隙を形成するように前記ユニット筺体を取り付ける取付部を備えるとともに、下部と上縁部にそれぞれ開口が形成されている点にある。
【００１２】
既設の制御盤筺体に備えた支持板から既設の回路部品を除去する作業と、その支持板に新たな制御ユニットのユニット筺体を取り付ける作業によって、既設の制御盤筺体を再利用しながら制御盤が更新されるので、作業コストや設備コストを効果的に低減させることができるようになる。
【００１３】
新たな制御ユニットには、従来の大型のリレー回路やシーケンサに代えて、スイッチ回路を制御する半導体等を用いた電子回路が組み込まれているため、制御ユニット全体として小型化され、既存の制御盤筺体に容易に収容できるのであるが、電子回路及び当該電子回路への直流の給電回路が発熱源となるばかりでなく、夏季には非常に高温に晒されるので、電子回路の熱暴走等を回避するために冷却機構が必要になる。また、冬季に電子回路部品が結露すると短絡故障が発生する虞もある。
【００１４】
上述の構成によれば、取付部を介してユニット筺体と支持板との間に形成された間隙に、既設の制御盤筺体に備えた通風機構の作用によって通気されるとともに、間隙の空気層が断熱層として作用して制御盤筺体からの熱を遮断するようになり、夏季に電子回路の過度な昇温による誤動作が回避でき、冬季には間隙の空気層が断熱層として作用して結露による短絡事故が回避できるようになる。さらには、通風機構により導かれた気流が底部に形成された開口を介してユニット筺体内部に流入し、電子回路を冷却した後に側板上縁部に形成された開口から流出するので、別途のファン等の冷却機構を備えなくても、効果的に制御ユニットを冷却できるようになる。
【００１５】
同第二の特徴構成は、同請求項２に記載した通り、上述の第一特徴構成に加えて、前記ユニット筺体は、天板が正面から背面にかけて下方に傾斜する傾斜姿勢に形成され、前記天板の側端部と側板との間に前記上縁部の開口が形成されている点にある。
【００１６】
既設の制御盤筺体が腐蝕等により損傷している場合には、降雨時に水滴が制御盤筺体内部に浸入する虞がある。そのような場合であっても、ユニット筺体の上部に滴下した水滴が、正面から背面にかけて下方に傾斜する傾斜姿勢の天板によって、ユニット筺体の内部に浸入することなく、背面側に流下するのでユニット筺体自体の浸水による短絡等の故障を回避することができる。また、傾斜姿勢の天板の側端部と側板上縁との間に開口が形成されているので、開口を形成するために側板を機械加工する必要が無く、電子回路から吸熱して温度上昇した空気を最も上方の開口から効果的に流出させることができるようになる。
【００１７】
同第三の特徴構成は、同請求項３に記載した通り、上述の第一または第二特徴構成に加えて、前記ユニット筺体に、正面に操作部を備えた扉体が取り付けられ、前記扉体の背面側に前記電子回路を収容する収容部が形成され、前記収容部を区画する壁面の上縁側に開口が形成されるとともに、前記壁面の下部に開口が形成されている点にある。
【００１８】
制御盤の保守点検時に、既設の制御盤の扉を開放すれば、制御ユニットの扉体表面に備えた操作部が操作でき、点検作業が容易に行なえる。しかも、扉体の背面側収容部に電子回路が収容されているので、操作部を介した操作信号を電子回路に入力するために長い配線を引き回す必要が無くなり、それだけ部品コストの低減、装置の信頼性の向上が図れる。さらに、収容部を区画する壁面の下部に形成された開口から、当該壁面の上縁側に形成された開口へと冷却用の風路が形成されているので、電子回路等の熱源を効果的に冷却することができる。
【００１９】
同第四の特徴構成は、同請求項４に記載した通り、上述の第一から第三の何れかの特徴構成に加えて、前記通風機構によって形成される前記制御盤筺体内部の風路と、前記ユニット筺体の下部と上縁部に形成された開口を結ぶ風路が重複するように、前記ユニット筺体の開口位置が設定されている点にある。
【００２０】
既設の制御盤の筺体に設置された通風機構による風路と、ユニット筺体の下部と側板上縁部に形成された開口を結ぶ風路とを重複させることによって、既設の通風機構による風の流れを最大限利用して制御ユニットを冷却することができる。
【００２１】
本発明による水中ポンプの制御盤の第一の特徴構成は、同請求項５に記載した通り、通風機構を備えた既設の制御盤筺体に備えた支持板から既設の部品を除去して形成される空間に、上述した第一から第四の何れかの特徴構成を備えた水中ポンプの制御ユニットが、前記通風機構によって形成される前記制御盤筺体内部の風路と、前記ユニット筺体の下部と上縁部に形成された開口を結ぶ風路が重複する位置に収容されている点にある。
【００２２】
同様に、既設の制御盤の筺体に設置された通風機構による風路と、ユニット筺体の下部と側板上縁部に形成された開口を結ぶ風路とを重複させることによって、既設の通風機構による風の流れを最大限利用して制御ユニットを冷却可能な水中ポンプの制御盤を実現できる。
【００２３】
本発明による水中ポンプの制御盤の第二の特徴構成は、同請求項６に記載した通り、通風機構を備えた制御盤筺体に備えた支持板に、上述した第一から第四の何れかの特徴構成を備えた水中ポンプの制御ユニットが、前記通風機構によって形成される前記制御盤筺体内部の風路と、前記ユニット筺体の下部と上縁部に形成された開口を結ぶ風路が重複する位置に収容されている点にある。
【００２４】
既設の制御盤の筐体の老朽化が進み、雨漏りが激しい場合や、支持板がユニットの重量を支えられない場合など、既設の制御盤筐体の流用が不可能な場合であっても、一から制御盤全体を製作する必要が無く、上述した制御ユニットが収容可能な制御盤筐体のみを新たに製作して当該制御ユニットを収容すれば、容易に制御盤の修理・更新を行なうことができ、製作コストや作業時間を短縮することができる。また、上述した制御ユニットを標準の制御ユニットとして製品化しておけば、新しい制御盤の発注を受けた場合に、制御盤筐体のみを製作して、その内部に標準の制御ユニットを組み込めば新しい制御盤となるので、当該制御盤を迅速に納品することが可能となる。
【発明の効果】
【００２５】
以上説明した通り、本発明によれば、温湿度環境の影響が大きな屋外に設置される場合であっても、既存の制御盤設備を有効利用して更新設備に要するコストを低減することができる水中ポンプの制御ユニット、及び水中ポンプの制御盤を提供することができるようになった。
【図面の簡単な説明】
【００２６】
【図１】（ａ）は本発明による水中ポンプの制御盤及び制御ユニットの側面図、（ｂ）は同正面図
【図２】（ａ）は本発明による水中ポンプの制御盤の側断面図、（ｂ）は（ａ）のＡ−Ａ線断面図
【図３】水中ポンプの制御ユニットの要部斜視図
【図４】水中ポンプの制御ユニットの扉体を開放した状態の斜視図
【図５】（ａ）は既設の水中ポンプの制御盤の側面図、（ｂ）は同正面図
【図６】（ａ）は既設の水中ポンプの制御盤の側断面図、（ｂ）は扉体を開放した状態の正面図
【図７】水中ポンプの制御ユニットの概略の回路図
【発明を実施するための形態】
【００２７】
以下に、本発明による水中ポンプの制御ユニット、及び水中ポンプの制御盤を説明する。図５（ａ），（ｂ）には、野外に設置された既設の水中ポンプの制御盤１の外観が示されている。制御盤１は、上流の汚水管から流入した汚水を下流の汚水管に搬送する複数台の水中ポンプが収容されたマンホールの近傍に設置され、当該マンホールに貯留された汚水の水位に基づいて水中ポンプを駆動制御する制御回路等が収容されている。
【００２８】
図６（ａ），（ｂ）に示すように、既設の制御盤１は、開閉自在な扉体１１を備えた制御盤筺体１０と、制御盤筺体１０の内部背面側に取り付けられた支持板１２と、支持板１２上に取り付けられた制御回路１３及び端子台１４と、操作スイッチやメータ等の表示器が設置された操作部１６や、水中ポンプの状態等を外部に伝達する通信装置等を備えた中扉体１５を備えている。図５（ｂ）の符号１１ａは、扉体１１に形成された透明ガラス窓である。
【００２９】
制御盤１の一方の側壁下部には吸気用の開口として複数のスリット１７が形成され（図６（ａ）参照）、他方の側壁上部には排気用の開口として複数のスリット１８が形成されるとともにそのスリット１８の内側に排気ファン１９が取り付けられている（図５（ａ）参照）。つまり、スリット１７，１８と排気ファン１９で通風機構が構成されている。
【００３０】
制御回路１３の下部に設置された端子台１４の入力端子を介して商用電源から供給される三相２００Ｖの電源ラインと制御回路１３とが接続され、同じく端子台１４の出力端子を介して制御回路１３と負荷となる二台の水中ポンプＰが接続されている。さらに、端子台１４の信号端子を介してマンホールに設置された水位計の出力ラインＬＳと水位変換器を含む制御回路１３とが接続され、同様に端子台１４の制御端子を介して制御回路１３から排気ファン１９や結露防止用のヒータ（図示せず）への給電線が接続されている。
【００３１】
制御盤筺体１０の背面壁部には複数本の支持用ボルトＢが溶着され、支持板１２に形成された取付孔Ｈがスペーサを介して当該支持用ボルトＢに嵌め込まれ、さらにナットで固定されている。制御回路１３は、水位計の出力に基づいてマンホール内の水位が所定の運転水位に達すると一方の水中ポンプを駆動し、所定の停止水位になるとその水中ポンプを停止する大電流用の電磁開閉器を含む複数のリレー回路等で構成され、それら複数の回路部品が当該支持板１２にビス止めされ、当該所定の制御が行なわれるように各回路部品が結線されている。つまり、制御回路１３は、個別のリレー回路等を結線した制御用のシーケンス制御回路である。尚、支持板１２は、制御盤筺体１０を構成する板とは別体に構成されるのが普通であるが、一体または支持板が制御盤筺体を構成する板と兼用されることもある。
【００３２】
このような制御盤１によるマンホールポンプの制御方法に大幅な変更が発生した場合や、制御盤１内部の回路部品の寿命等により制御回路１３等を大幅に交換する必要がある場合等に、個々の部品を交換して再度結線するのではなく、また、制御盤１を新たな制御盤に取り替えるのではなく、既設の制御盤１に収容されている個々の部品に代えて本願発明の制御ユニットが既設の制御盤筺体１０内部に収容される。
【００３３】
そのような場合には、図６（ｂ）に示す制御盤筺体１０から中扉体１５が取り外され、さらに支持板１２から既設の回路部品（制御回路１３や端子台１４等）が除去された後に、そこに形成される空間に新たな制御ユニットが収容される。
【００３４】
図１から図４には、新たな制御ユニット２０のユニット筺体２１が、既設の制御盤筺体１０の高さ方向においてスリット１７，１８の中間部に位置するように、取付部２５を介して支持板１２に取り付けられた状態が示されている。
【００３５】
図３に示すように、取付部２５は、ユニット筺体２１の背面側に溶着あるいはボルト締めされた断面「コ」の字状の板金で構成され、当該板金の左右端縁の上下位置に耳部２５ａが延出形成されている。尚、耳部２５ａの形成位置は、板金の左右端縁の上下位置に限るものではなく、中間位置に形成されていてもよく、上下端縁の左右位置に形成されていてもよい。
【００３６】
支持板１２のうち耳部２５ａに対応する部位にねじ孔が開口され、耳部２５ａに形成した取付孔からボルト固定される。その結果、ユニット筺体２１の背面と支持板１２との間に間隙が形成されるようにユニット筺体２１が取り付けられる。尚、取付部２５とユニット筺体２１の背面とが一部品で一体形成されていてもよい。
【００３７】
図４に示すように、ユニット筺体２１には、水中ポンプと電気的に接続する端子を含む複数の端子を備えた端子台２２と、端子台２２を介して接続された水中ポンプへの通電状態を切り替える電磁開閉器や過電流を遮断するブレーカ等のスイッチ回路２３と、スイッチ回路２３を制御するマイクロコンピュータ及びその周辺回路でなる電子回路２４等が収容されている。
【００３８】
既設の制御盤１に用いられていたリレー回路等の個別部品を結線した制御回路１３に代えて、マイクロコンピュータ等の半導体回路により制御回路を構築することで、回路の小型化が図られている。当該マイクロコンピュータは、ポンプの稼動状態や異常の有無を外部に送信する送信機の制御部としても機能する。尚、送信機もユニット筺体２１に組み込まれている。
【００３９】
ユニット筺体２１の天板２１ａが、正面から背面にかけて下方に傾斜する傾斜姿勢に形成され、天板２１ａの側端部と左右の側板２１ｂの上縁部との間に第一の開口ｈ１が形成されるとともに、左右の側板２１ｂに第二及び第三の開口ｈ２，ｈ３が形成されている。
【００４０】
既設の制御盤筺体１０が腐蝕等により損傷している場合には、降雨時に水滴が内部に浸入することもあるが、ユニット筺体２１の上部に滴下した水滴は、正面から背面にかけて下方に傾斜する傾斜姿勢の天板２１ａによって、ユニット筺体２１の内部に浸入することなく、上部と下部が開口された背面側の支持板１２との間隙に流れる。従って、ある程度老朽化した既設の制御盤筺体１０を再利用しても、ユニット筺体２１自体が浸水して短絡等の故障が発生するような不都合な事態を防止できる。
【００４１】
この場合、ユニット筺体２１の設置工事の際に、既設の制御盤筺体１０内部に溜まった雨水を外部に排水するドレン孔２９を制御盤筺体１０底部に形成することが好ましい。
【００４２】
ユニット筺体２１の側板２１ｂに第二及び第三の開口ｈ２，ｈ３が形成されているが、少なくとも天板２１ａの側端部と左右の側板２１ｂの上縁部との間に第一の開口ｈ１が形成されていれば、必ずしも第二及び第三の開口ｈ２，ｈ３が形成されている必要はない。傾斜姿勢の天板２１ａの側端部と側板２１ｂ上縁との間の開口ｈ１は、側板２１ｂを機械加工しなくても天板２１ａを傾斜配置するだけで自然に形成でき、電子回路２４等から吸熱して温度上昇した空気を最も上方の開口ｈ１から効果的に流出させることができるようになる。尚、開口ｈ１が側板の最上端に形成された例を説明したが、最上端から少し下がった上縁部に形成されていてもよく、さらに側板に限らず上述の扉体２６の上縁部に形成されていてもよい。
【００４３】
雨水がユニット筺体２１に浸入しないように、天板２１ａの側端部が左右の側板２１ｂの上縁部よりも突出形成されていることが好ましいが、図３に示すように、天板２１ａの側端部と左右の側板２１ｂの上縁部とがほぼ面一であれば、第一の開口ｈ１を形成する天板２１ａの側端部及び左右の側板２１ｂの上縁部に溝ゴム３０を取り付けることが好ましい。天板２１ａに滴下した雨水が開口ｈ１から内部に浸入することを効果的に防止できるからである。
【００４４】
ユニット筺体２１には、正面に操作部１６を備えた扉体２６が取り付けられ、扉体２６の背面側に電子回路２４及び電子回路２４に直流電力を供給する電源回路を収容する収容部２７が形成され、収容部２７を区画する壁面の上縁側に複数のスリット２７ａが形成されるとともに、壁面の底部に開口ｈ４が形成されている。尚、ユニット筺体２１の底部２８にも開口ｈ５が形成されている。本実施例では、開口ｈ４，ｈ５をそれぞれ底面に形成した例を説明したが、開口の形成箇所は底面を含むユニット筺体２１の下部であれば側板等に形成されていてもよい。
【００４５】
扉体２６には、水中ポンプの稼動状態をモニタする電流計、水中ポンプを強制駆動するスイッチ等が設けられている。また、扉体２６の中央上部には、夜間に操作部を照明するＬＥＤランプが扉体２６の表面から手前側に突出するように取り付けられている。
【００４６】
通風機構によって形成される制御盤筺体１０内部の風路（図１（ｂ）の一点鎖線の矢印で示す）と、ユニット筺体２１の底部と側板２１ｂ上縁部に形成された開口ｈ１を結ぶ風路が重複するように、ユニット筺体２１の底部開口ｈ５の位置及び上部開口ｈ１の位置が設定されている。
【００４７】
従って、排気ファン１９によって制御盤筺体１０のスリット１７から内部に吸引された外気が、ユニット筺体２１の底部２８の開口ｈ５を介してユニット筺体２１内部及び扉体２６内部に流入し、電子回路２４やその電源回路を冷却した後に第一の開口ｈ１や第二及び第三の開口ｈ２，ｈ３、及び制御盤筺体１０のスリット１８から排気され、効果的に電子回路等が冷却される。
【００４８】
以上、説明したように、上述の構成によれば、取付部２５を介してユニット筺体２１と支持板１２との間に形成された間隙に、既設の制御盤筺体１０に備えた通風機構の作用によって通気されるとともに、間隙の空気層が断熱層として作用して制御盤筺体からの熱を遮断するようになり、夏季に電子回路の過度な昇温による誤動作が回避でき、冬季には間隙の空気層が断熱層として作用して結露による短絡事故が回避できるようになる。また、電子回路２４によって、ヒータが制御されることによっても結露による短絡事故が回避される。
【００４９】
尚、図３に示すように、当該間隙の上下を開口して左右に区画壁を備えたダクト状に形成すれば、通風速度を上げて熱伝達率を向上させ、冷却効果をより高めることが可能になる。
【００５０】
さらには、通風機構により導かれた気流がユニット筺体２１の底部に形成された開口を介して内部に流入し、電子回路を冷却した後に側板上縁部に形成された開口から流出するので、別途のファン等の冷却機構を制御ユニット２０に備えなくても、効果的に制御ユニットを冷却できるようになる。
【００５１】
制御盤１の保守点検時に、既設の制御盤の扉１１を開放すれば、制御ユニット２０の扉体表面に備えた操作部が操作でき、点検作業が容易に行なえるようになる。しかも、扉体の背面側収容部に電子回路が収容されているので、操作部を介した操作信号を電子回路に入力するために長い配線を引き回す必要が無くなり、それだけ部品コストの低減、装置の信頼性の向上が図れる。さらに、収容部を区画する壁面の底部に形成された開口から、当該壁面の上縁側に形成された複数のスリットへと冷却用の風路が形成されているので、電子回路等の熱源を効果的に冷却することができる。
【００５２】
ユニット筺体２１の下部開口ｈ５は、上述した実施例のように幅広に形成し、通風と配線を通す開口として共用してもよく、配線用の孔を通風用の開口に兼用したり、配線用の孔とは別に設けてもよい。
【００５３】
図７に基づいて、上述した制御ユニット２０の回路構成を簡単に説明する。
商用電源から供給されるＡＣ２００Ｖ三相交流がメインブレーカ３０を介して二系統の漏電ブレーカ３１，３２に分岐接続されるとともに、制御用電源ブレーカ３３に分岐接続されている。符号４７，４８は避雷器（アレスタ）である。
【００５４】
漏電ブレーカ３１，３２を介してスイッチ回路２３となる電磁開閉器３４，３５が水中ポンプのインダクションモータＭ１，Ｍ２に接続される。漏電ブレーカ３１，３２とインダクションモータＭ１，Ｍ２の間には進相コンデンサＣ１，Ｃ２及び過負荷検知回路３６，３７や電流トランス３８，３９が介装されている。
【００５５】
一方、商用電源から供給されるＡＣ１００Ｖ単相交流がブレーカ４０を介してリレー回路４１，４２，４３に接続され、ヒータ４４、冷却ファン４５、パトライト（登録商標）４６等がオンまたはオフ制御される。
【００５６】
制御用電源ブレーカ３３にはＡＣ／ＤＣコンバータ４７が接続され、所定の直流電圧がマイクロコンピュータ等の電子回路２４に印加される。電子回路２４は、予め設定された制御プログラムに基づいて、上述の電磁開閉器３４，３５を制御して水中ポンプを運転し、リレー回路４１，４２，４３を制御してヒータ４４、冷却ファン４５、パトライト（登録商標）４６を駆動する。尚、詳述しないが、電子回路２４には、マンホールの貯留水位を検出する水位センサの出力や、制御ユニット２０の環境温度を検知する温度センサの出力等が入力され、それらの値に基づいて電磁開閉器３４，３５やリレー回路４１，４２が制御される。
【００５７】
上述した機能部品である漏電ブレーカ３１，３２，３３、電磁開閉器３４，３５、避雷器４７，４８、進相コンデンサＣ１，Ｃ２等がスイッチ回路２３としてユニット筺体２１に収容されている。また、上述したＡＣ／ＤＣコンバータ４７及びマイクロコンピュータ等の電子回路２４が扉体２６に収容されている。
【００５８】
上述した実施形態では、既設の制御盤筐体を再利用する場合を説明したが、既設の制御盤の筐体の老朽化が進み、雨漏りが激しい場合や、支持板がユニットの重量を支えられない場合など、既設の制御盤筐体の流用が不可能なことが判明した場合には、新設の制御盤の筐体を製作して、上述した制御ユニットをその内部に収容してもよい。
【００５９】
つまり、既設の制御盤筺体と略同等の構造を備えた新設の制御盤筺体、つまり、通風機構を備えた制御盤筺体を製作すれば、当該制御盤筺体に備えた支持板に、上述した水中ポンプの制御ユニットを、通風機構によって形成される制御盤筺体内部の風路と、ユニット筺体の下部と上縁部に形成された開口を結ぶ風路が重複する位置に収容すれば、新規な水中ポンプの制御盤を構築できる。
【００６０】
この場合は、一から所定の機能を備えた制御盤全体を製作する必要が無く、制御盤の筐体のみを製作し、その内部に制御ユニットを収容することで新しい制御盤が構築でき、制御盤の修理・更新のための作業コストや作業時間を短縮することができる。
【００６１】
さらに、制御盤の更新の際に再利用していた既設の制御盤が時間を経て痛んできた場合には、新たな制御盤の筐体のみを製作してその内部に使用していた制御ユニットを収容することで極めて容易に制御盤の修理を行うこともできるようになる。
【００６２】
以上、マンホール設備を例に本発明による水中ポンプの制御ユニット及び制御盤を説明したが、本発明はマンホール設備に用いられるものに限らず、調整池等に設置される雨水排水ポンプ設備、寒冷地の融雪用の散水ポンプ設備、井戸からの取水ポンプ設備等、様々な水中ポンプの制御ユニット及び制御盤に適用できる。
【００６３】
上述した水中ポンプの制御ユニット及び制御盤は一具体例に過ぎず、該記載により本発明の範囲が限定されるものではなく、例えば、制御ユニットの具体的な回路構成、各種の構造物の寸法、材料、構成等は、本発明による作用効果を奏する範囲で適宜変更設計できる。
【符号の説明】
【００６４】
１：水中ポンプの制御盤
１０：制御盤筺体
１７，１８，１９：通風機構
２０：水中ポンプの制御ユニット
２１：ユニット筺体
２２：端子台
２３：スイッチ回路
２４：電子回路
【図１】
0005685501.tif 000002
【図２】
0005685501.tif 000003
【図３】
0005685501.tif 000004
【図４】
0005685501.tif 000005
【図５】
0005685501.tif 000006
【図６】
0005685501.tif 000007
【図７】
0005685501.tif 000008